(57)【要約】【課題】筐体の組立てが容易な携帯型情報処理装置を提供する。【解決手段】バッテリーパックは、二次電池のうち下部筐体の底面のゴム脚に位置するゴム脚の高さ及び配線の径分の段差と、前面に上面及び下面から突出して配線を収納するための溝を構成する庇状の突出部と、下面から突出した突出部の端部に前面と平行に一体的に形成され配線の一部を押さえるための爪と、下面側の突出部の近傍に形成され配線を通すための切り欠きと、を備えた。【選択図】図４
2014013464.tif 000002
【特許請求の範囲】
【請求項１】
下部筐体にキーボードを有し、上部筐体に表示部を有する折り畳み型の携帯型情報処理装置であって、
前記下部筐体内に固定され、複数の矩形状の二次電池を配列したバッテリーパックは、
前記二次電池のうち前記下部筐体の底面のゴム脚に位置する二次電池と他の二次電池との間に形成された前記ゴム脚の高さ及び配線の径分の段差と、
前面に上面及び下面から突出して配線を収納するための溝を構成する庇状の突出部と、
前記下面から突出した突出部の端部に前記前面と平行に一体的に形成され前記配線の一部を押さえるための爪と、
前記下面側の突出部の近傍に形成され前記配線を通すための切り欠きと、
を備えたことを特徴とする携帯型情報処理装置。
【請求項２】
前記バッテリーパックは、 前記下部筐体内に前記下部筐体の底板及び天板に部分的に面接触するように配置されたことを特徴とする請求項１記載の携帯型情報処理装置。
【請求項３】
前記下部筐体には、前記キーボードの下側にマザーボードが配置され、前記マザーボードと前記下部筐体の前面側の側壁との間には、前記バッテリーパックが配置されていることを特徴とする請求項１または２記載の携帯型情報処理装置。
【請求項４】
前記バッテリーパックは、前記二次電池の数が６セルの場合、中央に２行２列配置し、下段の二次電池列の両側に１セルずつ配置し、凸字平面形状のケースに収納されていることを特徴とする請求項１から３の何れか一項記載の携帯型情報処理装置。
【発明の詳細な説明】
【技術分野】
【０００１】
本発明は、情報処理装置に関し、特に携帯型情報処理装置に関する。
【背景技術】
【０００２】
折り畳み型の情報処理装置としては、下部筐体にキーボードを有し、上部筐体に表示部を有し、両者を蝶番で連結したノートブック型パーソナルコンピュータ（以下、ノートパソコンと表記）が一般的である（例えば、特許文献１参照。）。
【０００３】
特許文献１に記載の発明は、「電子機器」に関するものであり、具体的には、「スライドレバーを、スイッチのスイッチレバーの付勢力により突出位置へ付勢する構成としたことにより、スイッチとは別にスライドレバーを突出位置へ付勢する付勢手段を備える必要がないため、スイッチとは別に付勢手段を備える構成に比べて部品点数を削減することができる。部品点数を削減することにより、コストダウンを図ることができるとともに、ノートパソコンの組立て時における組立て工数を削減することができ、組立て作業性を向上することができる」ものである。
【先行技術文献】
【特許文献】
【０００４】
【特許文献１】特開２０１１−１８０７２０号公報
【発明の概要】
【発明が解決しようとする課題】
【０００５】
ところで、例えば１３型のノートパソコンは、バッテリーパックがユーザによって工具を使用することなく着脱自在に構成されているものや、工具を使用しなければ取り外すことができないバッテリーパック内蔵型のものがある。
【０００６】
ノートパソコンから着脱自在に構成することを前提としたバッテリーパックは、着脱機構を簡易な構成にするため、下部筐体の中央から背面にわたる領域（後部）に配置される必要があった。また、装置の厚みを薄く見せるために、厚みのあるバッテリーを装置背面側に配置することが多い。
【０００７】
その一方で、着脱自在を前提とした内蔵型のバッテリーパックは、下部筐体の後部に配置する必要はなく、むしろ、キーボードを操作するユーザの掌があたる部分である、中央から前面にわたる領域（前部）には、高発熱部品（ＣＰＵ：Ｃｅｎｔｒａｌ  Ｐｒｏｃｅｓｓｉｎｇ  Ｕｎｉｔ、冷却ファン等）を配置したくないという理由から、ＣＰＵ等の高発熱部品より発熱量の少ないバッテリーパックを配置する方がよい。
【０００８】
しかしながら、バッテリーパックを下部筐体の前部に配置する場合、スピーカのような下部筐体前面下向きに配置すべき部品と、マザーボードとの間の距離が長くなるため、配線が長くなる。配線が長くなると、下部筐体内での収納が困難な場合があり、特に、配線がバッテリーパックと下部筐体との間に挟まる場合、下部筐体を十数ｍｍ以下の薄い構造とすることが難しい。
【０００９】
このような課題に鑑みて、下部筐体の前部に配置されるユーザインターフェース部材と、下部筐体の後部に配置されるマザーボードとに挟まれて配置されるバッテリーパックにおいて、ユーザインターフェース部材とマザーボードとを接続するケーブルが下部筐体内で移動せず、下部筐体の組立てが容易なバッテリーパックの構造が要求される。
【００１０】
そこで、本発明の目的は、筐体の組立てが容易な携帯型情報処理装置を提供することにある。
【課題を解決するための手段】
【００１１】
上記課題を解決するため、請求項１記載の発明は、下部筐体にキーボードを有し、上部筐体に表示部を有する折り畳み型の携帯型情報処理装置であって、前記下部筐体内に固定され、複数の矩形状の二次電池を配列したバッテリーパックは、前記二次電池のうち前記下部筐体の底面のゴム脚に位置する二次電池と他の二次電池との間に形成された前記ゴム脚の高さ及び配線の径分の段差と、前面に上面及び下面から突出して配線を収納するための溝を構成する庇状の突出部と、前記下面から突出した突出部の端部に前記前面と平行に一体的に形成され前記配線の一部を押さえるための爪と、前記下面側の突出部の近傍に形成され前記配線を通すための切り欠きと、を備えたことを特徴とする。
【発明の効果】
【００１２】
本発明によれば、筐体の組立てが容易な携帯型情報処理装置の提供を実現することができる。
【図面の簡単な説明】
【００１３】
【図１】（ａ）は、携帯型情報処理装置１０としてのノートパソコンの下部筐体の上面図であり、（ｂ）は、（ａ）に示した下部筐体を有するノートパソコンを前面から見た外観図である。
【図２】図１（ａ）に示した下部筐体を裏（底板）側から見たときの位置関係を示す底面図である。
【図３】（ａ）は、下部筐体１１におけるバッテリーパック３１の上から見たときの位置関係を説明するための概念図であり、（ｂ）は、（ａ）に示した下部筐体１１のIIIｂ−IIIｂ線断面図であり、（ｃ）は、（ａ）に示したバッテリーパックのIIIｃ−IIIｃ線断面図であり、（ｄ）は、（ａ）に示した下部筐体１１のIIIｄ−IIIｄ線断面図である。
【図４】（ａ）は、図３（ａ）に示したバッテリーパック３１の外観斜視図であり、（ｂ）は、（ａ）に示したバッテリーパック３１に、マザーボードから左右両スピーカ２５Ｌ、２５Ｒとの間の配線を装着した状態を示す外観斜視図である。
【発明を実施するための形態】
【００１４】
［構  成］
図１（ａ）は、携帯型情報処理装置１０としてのノートパソコンの下部筐体の上面図であり、図１（ｂ）は、図１（ａ）に示した下部筐体を有するノートパソコンを前面から見た外観図である。尚、説明上図１（ａ）において上部筐体は省略されている。
また、図１（ｂ）において上部筐体及び下部筐体は閉じた状態を示している。
【００１５】
図１（ａ）に示す板金（例えば、Ｍｇプレス材（ＡＺ３１））からなる下部筐体１１の上面の中央から背面にわたるほぼ半分の横長の領域にキーボード１２が配置されている。下部筐体１１の上面の中央から前面にわたる残り半分の横長の領域の中央にタッチパッド１３が配置されている。下部筐体１１のキーボード１２の背面側近傍には電源スイッチ１６が配置されている。
下部筐体１１の一方（例えば、右側）の側面には、例えば、ＵＳＢ（Ｕｎｉｖｅｒｓａｌ  Ｓｅｒｉａｌ  Ｂｕｓ）ポートが配置されている。
下部筐体１１の他方（この場合、左側）の側面には、例えば、ＳＤ（Ｓｅｃｕｒｅ  Ｄｉｇｉｔａｌ）メモリーカード（以下、ＳＤカードと表記）用のコネクタ、及び排気口が配置されている。
下部筐体１１の前面には一対のスピーカ２５Ｌ、２５Ｒ、ＬＥＤ（Ｌｉｇｈｔ  Ｅｍｉｔｔｉｎｇ  Ｄｉｏｄｅ）インジケータが配置されている。
下部筐体１１の右側には、電源（ＤＣ：Ｄｉｒｅｃｔ  Ｃｕｒｒｅｎｔ）入力コネクタが配置されている。これらの各部品の配置は限定されるものではない。
上部筐体１４は、表示部を有し下部筐体１１の背面側に設けられた蝶番により下部筐体１１と開閉自在に連結されている。
【００１６】
ここで、スピーカ２５Ｌ、２５Ｒは開口部が下部筐体１１の下側に向かって配置されている。これは、スピーカ２５Ｌ、２５Ｒの開口部が上側に向かって配置されている場合、ノートパソコンを使用する際にユーザの掌や指が接触することで皮脂や手汗がスピーカ２５Ｌ、２５Ｒの網目に付着して蓄積し、汚れるのを避けるためである。スピーカ２５Ｌ、２５Ｒからの音声は下方に向かって出た後、机の天板等に反射してユーザ側に伝わるようになっている。
【００１７】
図２は、図１（ａ）に示した下部筐体を裏（底板）側から見たときの位置関係を示す底面図である。図２に示す下部筐体１１の右奥には冷却ファン２２が配置され、冷却ファン２２の左側の領域には、図示しないマザーボードが配置される。下部筐体１１の左側中央にはＳＳＤ（Ｓｏｌｉｄ  Ｓｔａｔｅ  Ｄｒｉｖｅ）２１が配置されている。ＳＳＤ２１はＨＤＤ（Ｈａｒｄ  Ｄｉｓｋ  Ｄｒｉｖｅ）と同様に大容量（例えば、数〜数十ＧＢ）の記憶容量を有する記憶媒体である。下部筐体１１の前面側のほぼ矩形状の領域２４は、後述するバッテリーパック３１の底面と面接触するための領域である。
【００１８】
図３（ａ）は、下部筐体１１におけるバッテリーパック３１の上から見たときの位置関係を説明するための概念図であり、図３（ｂ）は、図３（ａ）に示した下部筐体１１のIIIｂ−IIIｂ線断面図であり、図３（ｃ）は、図３（ａ）に示したバッテリーパックのIIIｃ−IIIｃ線断面図であり、図３（ｄ）は、図３（ａ）に示した下部筐体１１のIIIｄ−IIIｄ線断面図である。
【００１９】
図４（ａ）は、図３（ａ）に示したバッテリーパック３１の外観斜視図であり、図４（ｂ）は、図４（ａ）に示したバッテリーパック３１に、マザーボードから左右両スピーカ２５Ｌ、２５Ｒとの間の配線を装着した状態を示す外観斜視図である。
尚、説明の都合上、バッテリーパックは厚く、大きめに記載されている。
【００２０】
バッテリーパック３１は、６セルの場合で説明する。バッテリーパック３１のケース中には、矩形状（例えばタイル状もしくはシート状）の二次電池３２ｃ、３２ｂ、３２ｄ、３２ｅは、中央に２行２列配置され、下段の二次電池列の両側に二次電池３２ａ、３２ｆが１セルずつ配置され、凸字平面形状に収納されている。これは、下部筐体１１の厚みを薄くするためである。
【００２１】
ここで、バッテリーパック３１のケースは、図４（ａ）に示すように、ガルウィング状に形成されている。すなわち、中央の二次電池３２ｂ〜３２ｅに対し、両側の二次電池３２ａ、３２ｆが高くなるように（段差ｈを有するように）ケース内に配置されている。この段差ｈは、下部筐体１１の底面の四隅に配置されるゴム脚１５の収容部（下から見ると凹部、内部から見ると凸部）の高さ分に合わせて設定されている。
バッテリーパック３１の二次電池３２ａ側と二次電池３２ｃ側との間の段差は下部筐体１１に配置したときに空間が形成されるので、この空間を利用してマザーボードとスピーカ２５Ｌ、２５Ｒとの間の配線を行うことができる。
【００２２】
バッテリーパック３１の前面には、バッテリーパック３１のケースの上面及び下面から突出して配線を収納するための溝５３Ｌ、５３Ｒを構成する庇状の突出部５４ａＬ、５４ｂＬ、５４ａＲ、５４ｂＲが形成されている。
上面側の突出部５４ａＬ、５４ａＲは、配線のための隙間を設けるため二次電池３２ａ〜３２ｆの幅より短く形成されている。
下面側の突出部５４ｂＬ、５４ｂＲは、突出部５４ａＬ、５４ａＲより長く、突出部５４ｂＬ、５４ｂＲの端部に爪５２Ｌ、５２Ｒがバッテリーパック３１のケースの前面と平行に一体的に形成されている。この爪５２Ｌ、５２Ｒは配線の一部を押さえたり、引っかけたりするための部材である。
バッテリーパック３１のケースの下面側の突出部５４ｂＬ、５４ｂＲの近傍に切り欠き５５Ｌ、５５Ｒが形成されている。これらの切り欠き５５Ｌ、５５Ｒは、配線を通すための切り欠きである。
【００２３】
バッテリーパック３１は、そのケースの二次電池３２ｂ〜３２ｅに対応する下面が下部筐体１１の底面１１ｂと面接触し、そのケースの二次電池３２ａ、３２ｆに対応する下面がゴム脚１５の収容部と接触し、そのケースの二次電池３２ａ、３２ｆに対応する上面が下部筐体１１の天板１１ａに部分的に面接触するようになっている。
バッテリーパック３１は図示しないリード線及びコネクタでマザーボードと接続され、電源を供給できるようになっている。
【００２４】
ここで、下部筐体１１には、キーボード１２の下側に図示しないマザーボードが配置され、マザーボードと下部筐体１１の前面側の側壁との間には、バッテリーパック３１が配置されているが、これは、ＣＰＵや冷却ファン等の発熱部品を操作者側から遠ざけることにより不快感を回避するためである。
【００２５】
二次電池３２ａ〜３２ｆは、リチウムイオンポリマー電池であるのが好ましい。円柱状の二次電池を用いる場合と比べて携帯型情報処理装置を薄く、軽く構成することができるためである。
【００２６】
［作用効果］
工場内で、作業者がバッテリーパック３１を下部筐体１１に配置する際に、マザーボードからの配線５０Ｌ、５０Ｒをバッテリーパック３１の二次電池３２ａ側と二次電池３２ｃ側との間の段差により下部筐体１１との間に形成される空間を通し、バッテリーパック３１の切り欠き５５Ｌ、５５Ｒを通すとともに、爪５２Ｌで押さえつつ、配線５０Ｌを左スピーカ２５Ｌに接続し、配線５０Ｒを溝５３Ｌ、５３Ｒを通し、爪５２Ｒで押さえつつ、切り欠き５５Ｒを通して右スピーカ２５Ｒに接続することで、配線５０Ｌ、５０Ｒがバッテリーパック３１と下部筐体１１とで挟まれることがない。この結果、筐体の組立てが容易な携帯型情報処理装置の提供を実現することができる。
【００２７】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００２８】
１０    携帯型情報処理装置
１１    下部筐体
１１ａ    天板
１１ｂ    底板
１２    キーボード
１３    タッチパッド
１４    上部筐体
１５    ゴム脚
１６    電源スイッチ
２２    冷却ファン
２５Ｌ、２５Ｒ    スピーカ
３１    バッテリーパック
３２ａ〜３２ｆ    二次電池
５０Ｌ、５０Ｒ    配線
５２Ｌ、５２Ｒ    爪
５３Ｌ、５３Ｒ    溝
５４ａＬ、５４ａＲ、５４ｂＬ、５４ｂＲ    突出部
５５Ｌ、５５Ｒ    切り欠き
ｈ    段差
【図１】
2014013464.tif 000003
【図２】
2014013464.tif 000004
【図３】
2014013464.tif 000005
【図４】
2014013464.tif 000006